(57)【要約】【課題】加速開始後に加速度が増加する特性を得ることができるエンジン制御装置を提供する。【解決手段】タービン４２及びコンプレッサ４１を有するターボチャージャ４０と、コンプレッサの上流側と下流側を連通させる流路に設けられるエアバイパスバルブ２４と、タービンの上流側と下流側を連通させる流路に設けられるウェイストゲートバルブ４４と、吸気流路におけるコンプレッサよりも下流側の領域に設けられるスロットル２６とを備えるエンジンを制御するエンジン制御装置１００を、スロットルが開状態でありかつ第１の条件が充足した場合にエアバイパスバルブを開状態としかつウェイストゲートバルブを閉状態とし、その後第２の条件が充足した場合にエアバイパスバルブを閉状態としかつウェイストゲートバルブを閉状態とする過給圧増加制御を実行する構成とする。【選択図】図１
2020029833.tif 000002
【特許請求の範囲】
【請求項１】
排ガスにより駆動されるタービン及び前記タービンにより駆動され新気を過給するコンプレッサを有するターボチャージャと、
前記コンプレッサの上流側と下流側の吸気流路を連通させるエアバイパス流路と、
前記エアバイパス流路に設けられるエアバイパスバルブと、
前記タービンの上流側と下流側の排気流路を連通させるウェイストゲート流路と、
前記ウェイストゲート流路に設けられるウェイストゲートバルブと、
前記吸気流路における前記コンプレッサよりも下流側の領域に設けられるスロットルと
を備えるエンジンを制御するエンジン制御装置であって、
タービン予回転開始要求を表す第１の条件が充足した場合に前記エアバイパスバルブを開状態としかつ前記ウェイストゲートバルブを閉状態とし、その後過給圧増加要求を表す第２の条件が充足した場合に前記エアバイパスバルブを閉状態としかつ前記ウェイストゲートバルブを閉状態とする過給圧増加制御の実行条件が成立したと判断すること
を特徴とするエンジン制御装置。
【請求項２】
前記スロットルの開度が予め設定された閾値以上である場合に前記第１の条件が充足したものと判定すること
を特徴とする請求項１に記載のエンジン制御装置。
【請求項３】
ドライバにより前記第１の条件の充足操作が行われた場合に前記第１の条件が充足したものと判定すること
を特徴とする請求項１に記載のエンジン制御装置。
【請求項４】
前記第１の条件の充足後、前記エンジンの出力軸回転速度が所定の閾値以上となった場合に前記第２の条件が充足したものと判定すること
を特徴とする請求項１から請求項３までのいずれか１項に記載のエンジン制御装置。
【請求項５】
前記第１の条件の充足後、所定の経過時間の終了後に前記第２の条件が充足したものと判定すること
を特徴とする請求項１から請求項３までのいずれか１項に記載のエンジン制御装置。
【請求項６】
前記第１の条件の充足後、ドライバにより前記第２の条件の充足操作が行われた場合に前記第２の条件が充足したものと判定すること
を特徴とする請求項１から請求項３までのいずれか１項に記載のエンジン制御装置。
【請求項７】
前記第２の条件の充足後、前記スロットルの開度が予め設定された閾値以上である場合に前記エアバイパスバルブを閉状態とし前記ウェイストゲートバルブを閉状態とする過給圧増加制御を実行すること
を特徴とする請求項１から請求項６までのいずれか１項に記載のエンジン制御装置。
【請求項８】
前記吸気流路内において所定振幅以上のサージングが発生し得る運転状態である場合に、前記過給圧増加制御を禁止するとともに前記エアバイパスバルブを開状態とすること
を特徴とする請求項１から請求項７までのいずれか１項に記載のエンジン制御装置。
【発明の詳細な説明】
【技術分野】
【０００１】
本発明は、ターボ過給を行うエンジンを制御するエンジン制御装置に関する。
【背景技術】
【０００２】
ターボチャージャは、エンジンの排ガスにより駆動されるタービンを用いて、燃焼用空気（新気）を圧縮するコンプレッサを作動させる過給機である。
ターボチャージャのタービンには、過給圧の制御等を目的として、タービンをバイパスして設けられた流路を開閉するウェイストゲートバルブが設けられている。
近年、ウェイストゲートバルブを電動式として、任意に開度制御を可能としたものが普及している。
また、ターボチャージャのコンプレッサには、過給状態からのスロットル急閉などによるサージングの抑制等を目的として、コンプレッサをバイパスして設けられた流路を開閉するエアバイパスバルブが設けられている。
サージングが発生し得る運転状態である場合に、エアバイパスバルブを開状態とすることにより、コンプレッサの下流側（エンジン主機側）から上流側（エアクリーナ側）に空気を還流させることが可能となり、サージングを抑制することが可能である。
【０００３】
ターボ過給エンジンの過給圧制御に関する従来技術として、例えば特許文献１には、過給遅れを抑制するため、ウェイストゲートバルブが全開であると判定し、かつエアバイパスバルブが全開ではないと判定された場合、エアバイパスバルブの開度が大きく設定され、次に、ウェイストゲートバルブの開度がベース値に戻されることが記載されている。
特許文献２には、非過給状態においてウェイストゲートバルブを中間開度とし、吸気管内圧力を所定の目標吸気管圧力に近づくようフィードバック制御することによって、ウェイストゲートバルブをノーマルクローズとした場合に対してタービンの駆動仕事を低減し、コンプレッサにある程度の予回転を与えることができ、加速開始時のターボラグを抑制し、ドライバビリティを向上させることが記載されている。
特許文献３には、目標スロットル通過空気量がサージ発生上限流量以下となった場合にエアバイパスバルブを開弁するが、エアバイパスバルブが開かれると、サージの発生の防止効果はあるが、過給圧の低下により再加速時のターボラグが問題となる場合があるため、エアバイパスバルブを開弁する期間を必要最小限とすることが記載されている。
【先行技術文献】
【特許文献】
【０００４】
【特許文献１】特開２０１６−  ９８６８０号公報
【特許文献２】特開２０１７−１６６４５６号公報
【特許文献３】特開２０１４−１９６６７８号公報
【発明の概要】
【発明が解決しようとする課題】
【０００５】
ターボ過給を行なうエンジンには、その原理上、過給が行われない領域（ＮＡ領域）からの加速時（負荷増加時）に、スロットル開度を増加してから、過給圧及び出力トルクが増加するまでの時間応答遅れ（ターボラグ）が存在する。
近年のターボ過給エンジンにおいては、タービン、コンプレッサの小径化（Ａ／Ｒ比の縮小）や、制御の緻密化などにより、ターボラグの抑制が図られている。
しかし、このように過給圧が加速開始後に時間応答遅れを伴って上昇し、加速中に加速度が増加する特性（ターボバンなどと俗称される）は、ドライバによっては加速の伸び感がありスポーティであるとして好意的に捉える場合もある。
このため、ターボラグの抑制に配慮された近年のターボ過給エンジンにおいても、制御によって比較的大きなターボラグを有するエンジンのような過給圧の立ち上がり特性を得られるチューニングを行うことができれば、ユーザが好む加速感を与えて満足度を高め、車両の商品価値を向上することができると考えられる。
また、低μ路での加速時や、競技等のスポーツ走行での急発進、急加速時には、加速開始初期から過給圧を高めて出力トルクを増大すると、ホイールスピンが発生しやすくなる場合がある。このような場合には、加速開始後に過給圧、加速度を高めていく特性としたほうが、トラクションコントロール的な機能を発揮してドライバビリティ（運転のしやすさ）や加速性能が改善される場合もあり得る。
本発明の課題は、加速開始後に加速度が増加する特性を得ることができるエンジン制御装置を提供することである。
【課題を解決するための手段】
【０００６】
本発明は、以下のような解決手段により、上述した課題を解決する。
請求項１に係る発明は、排ガスにより駆動されるタービン及び前記タービンにより駆動され新気を過給するコンプレッサを有するターボチャージャと、前記コンプレッサの上流側と下流側の吸気流路を連通させるエアバイパス流路と、前記エアバイパス流路に設けられるエアバイパスバルブと、前記タービンの上流側と下流側の排気流路を連通させるウェイストゲート流路と、前記ウェイストゲート流路に設けられるウェイストゲートバルブと、前記吸気流路における前記コンプレッサよりも下流側の領域に設けられるスロットルとを備えるエンジンを制御するエンジン制御装置であって、タービン予回転開始要求を表す第１の条件が充足した場合に前記エアバイパスバルブを開状態としかつ前記ウェイストゲートバルブを閉状態とし、その後過給圧増加要求を表す第２の条件が充足した場合に前記エアバイパスバルブを閉状態としかつ前記ウェイストゲートバルブを閉状態とする過給圧増加制御の実行条件が成立したと判断することを特徴とするエンジン制御装置である。
これによれば、第１の条件が充足したときに、スロットルバルブを開いた状態でウェイストゲートバルブを閉状態とすることにより、排ガスの全量をタービンに供給してコンプレッサの駆動に寄与させ、コンプレッサの回転を高める（ターボチャージャの予回転を行う）ことができる。
なお、通常はスロットルを開いた状態でウェイストゲートバルブを閉状態に維持した場合には、過給圧が過度に高くなることによりエンジン主機やターボチャージャ等のハードウェアにダメージを与えることが懸念されるが、本発明においてはエアバイパスバルブを開状態とし、コンプレッサの下流側から上流側へ空気を還流させることによって、過給圧の過度な上昇を防止することができる。
その後、第２の条件が充足したときに、エアバイパスバルブを閉状態とすることにより、エンジンの吸入空気量が増大してタービンに導入される排ガスの流量が急増し、コンプレッサの回転数及び過給圧がともに上昇する。これにより、エンジンの出力トルクが増加して車両の加速度が増加し、伸びのあるスポーティな加速感（加速の伸び感）をドライバに感じさせて車両の商品価値を向上することができる。
【０００７】
請求項２に係る発明は、前記スロットルの開度が予め設定された閾値以上である場合に前記第１の条件が充足したものと判定することを特徴とする請求項１に記載のエンジン制御装置である。
これによれば、例えばドライバがアクセルを踏み込む簡単な動作により、スロットル開度が大きくなって過給圧増加制御が開始されるため、簡単な操作により上述した効果を得ることができる。
【０００８】
請求項３に係る発明は、ドライバにより前記第１の条件の充足操作が行われた場合に前記第１の条件が充足したものと判定することを特徴とする請求項１に記載のエンジン制御装置である。
これによれば、ドライバが意図した場合に直ちにターボチャージャの予回転を開始することができ、利便性やコントロール性を向上することができる。
例えば、ウェット路面、未舗装路面、氷雪路等の低μ路での加速時や、スポーツ走行などの急加速時に、駆動輪の空転が生じやすい状態（発進直後等）であるときに、過給圧、出力トルクを過度に高めることなくターボチャージャに予回転を与え、その後空転が生じやすい状態が解消された際にエアバイパスバルブを閉状態として過給圧を高めることにより、ドライバビリティ及び車両の安定性を改善することができる。
【０００９】
請求項４に係る発明は、前記第１の条件の充足後、前記エンジンの出力軸回転速度が所定の閾値以上となった場合に前記第２の条件が充足したものと判定することを特徴とする請求項１から請求項３までのいずれか１項に記載のエンジン制御装置である。
これによれば、エンジンの出力軸回転速度の増加とともに過給圧が高まり、トルクが増加する特性とすることによって、スポーティな印象を与える出力特性及び加速感（加速の伸び感）を得ることができる。
【００１０】
請求項５に係る発明は、前記第１の条件の充足後、所定の経過時間の終了後に前記第２の条件が充足したものと判定することを特徴とする請求項１から請求項３までのいずれか１項に記載のエンジン制御装置である。
これによれば、過給圧及び出力トルクの立ち上がり特性に適度な時間応答遅れを与えることにより、スポーティな印象を与える出力特性及び加速感（加速の伸び感）を得ることができる。
【００１１】
請求項６に係る発明は、前記第１の条件の充足後、ドライバにより前記第２の条件の充足操作が行われた場合に前記第２の条件が充足したものと判定することを特徴とする請求項１から請求項３までのいずれか１項に記載のエンジン制御装置である。
これによれば、ドライバの操作に応じて過給圧の増加を開始させることにより、ドライバの意図に忠実に加速度を増加させ、コントロール性及びドライバビリティを向上することができる。
【００１２】
請求項７に係る発明は、前記第２の条件の充足後、前記スロットルの開度が予め設定された閾値以上である場合に前記エアバイパスバルブを閉状態とし前記ウェイストゲートバルブを閉状態とする過給圧増加制御を実行することを特徴とする請求項１から請求項６までのいずれか１項に記載のエンジン制御装置である。
これによれば、上述した過給圧増加制御の実行により、上記各発明の効果を得ることができる。
請求項８に係る発明は、前記吸気流路内において所定振幅以上のサージングが発生し得る運転状態である場合に、前記過給圧増加制御を禁止するとともに前記エアバイパスバルブを開状態とすることを特徴とする請求項１から請求項７までのいずれか１項に記載のエンジン制御装置である。
これによれば、スロットル急閉時等に発生しやすいサージングを抑制し、異音の発生やコンプレッサがダメージを受けることを防止できる。
【発明の効果】
【００１３】
以上説明したように、本発明によれば、加速開始後に加速度が増加する特性を得ることができるエンジン制御装置を提供することができる。
【図面の簡単な説明】
【００１４】
【図１】本発明を適用したエンジン制御装置の第１実施形態を有するエンジンの構成を模式的に示す図である。
【図２】第１実施形態のエンジン制御装置におけるサージング抑制制御を示すフローチャートの第１分図である。
【図３】第１実施形態のエンジン制御装置におけるサージング抑制制御を示すフローチャートの第２分図である。
【図４】第１実施形態のエンジン制御装置における過給圧増加制御を示すフローチャートである。
【図５】第１実施形態のエンジン制御装置により制御されるエンジンの過給圧、コンプレッサ回転数などの推移の一例を示す図である。
【図６】本発明を適用したエンジン制御装置の第２実施形態における過給圧増加制御を示すフローチャートである。
【図７】本発明を適用したエンジン制御装置の第３実施形態における過給圧増加制御を示すフローチャートである。
【発明を実施するための形態】
【００１５】
＜第１実施形態＞
以下、本発明を適用したエンジン制御装置の第１実施形態について説明する。
第１実施形態のエンジン制御装置は、例えば乗用車等の自動車に、走行用動力源として搭載されるターボ過給ガソリンエンジンに設けられるものである。
図１は、実施形態のエンジン制御装置を有するエンジンの構成を模式的に示す図である。
図１に示すように、エンジン１は、本体部１０、吸気装置２０、排気装置３０、ターボチャージャ４０、燃料供給装置５０、エンジン制御ユニット（ＥＣＵ）１００等を有して構成されている。
【００１６】
本体部１０は、エンジン１の主機部分であって、例えば、水平対向４気筒の４ストロークＤＯＨＣガソリン直噴エンジンである。
本体部１０は、クランクシャフト１１、シリンダブロック１２、シリンダヘッド１３、吸気バルブ装置１４、排気バルブ装置１５、点火栓１６等を有して構成されている。
【００１７】
クランクシャフト１１は、エンジン１の出力軸であって、図示しない各気筒のピストンがコネクティングロッド（コンロッド）を介して連結されている。
シリンダブロック１２は、各気筒のシリンダを有するブロック状の部材であって、クランクシャフト１１を挟んで左右二分割されている。
シリンダブロック１２における右半部（ここでいう左右は、縦置きでの車載状態における車体左右を指すものとする。）には、車両前方側から順に第１、第３気筒が設けられ、左半部には、第２、第４気筒が設けられている。
【００１８】
シリンダブロック１２の左右各半部の接合部には、クランクシャフト１１が収容されるクランクケース部が設けられている。
クランクシャフト１１は、シリンダブロック１２に設けられたメインベアリングによって、回転可能に支持されている。
シリンダブロック１２には、クランクシャフト１１の角度位置を検出する図示しないクランク角センサが設けられている。
クランク角センサは、クランクシャフト１１の回転に応じてパルス状のクランク角信号を出力し、ＥＣＵ１００に伝達する。
ＥＣＵ１００は、クランク角センサの出力に基づいて、クランクシャフトの回転速度（エンジン回転数Ｎｅ）を演算する。
【００１９】
シリンダヘッド１３は、シリンダブロック１２の左右両端部にそれぞれ設けられている。
シリンダヘッド１３は、図示しない燃焼室、吸気ポート、排気ポート、及び、吸気バルブ装置１４、排気バルブ装置１５等を有して構成されている。
燃焼室は、図示しないピストンの冠面と対向して設けられた凹部であって、ピストンにより圧縮された混合気が燃焼する空間部の一部を構成するものである。
吸気ポートは、燃焼室内に燃焼用空気（新気）を導入する流路である。
排気ポートは、燃焼室から既燃ガス（排ガス）を排出する流路である。
吸気バルブ、排気バルブは、吸気ポート及び排気ポートをそれぞれ所定のバルブタイミングで開閉するものである。
【００２０】
吸気バルブ装置１４は、吸気バルブと、その駆動系を有して構成されている。
排気バルブ装置１５は、排気バルブと、その駆動系を有して構成されている。
各バルブの駆動系は、例えばクランクシャフト１１の端部に設けられたクランクスプロケットから図示しないタイミングチェーンを介して駆動されるカムスプロケット、及び、カムスプロケットにより駆動されるカムシャフト等をそれぞれ有して構成されている。
また、吸気バルブ装置１４、排気バルブ装置１５は、油圧アクチュエータによってカムスプロケットとカムシャフトとを回転中心軸回りに相対回動させるバルブタイミング可変機構を備えている。
【００２１】
点火栓１６は、ＥＣＵ１００からの点火信号に応じて、燃焼室内で電気的なスパークを発生させ、混合気に点火するものである。
【００２２】
吸気装置２０は、外気を吸入し、燃焼用空気としてシリンダヘッド１３の吸気ポートに導入するものである。
吸気装置２０は、インテークダクト２１、エアクリーナ２２、エアフローメータ２３、エアバイパスバルブ２４、インタークーラ２５、スロットルバルブ２６、インテークマニホールド２７、タンブルジェネレーションバルブ２８等を有して構成されている。
【００２３】
インテークダクト２１は、外部から吸入された燃焼用空気が搬送される管路（吸気流路）である。
インテークダクト２１の中間部には、後述するようにターボチャージャ４０のコンプレッサ４１が設けられている。
【００２４】
エアクリーナ２２は、インテークダクト２１の入口付近に設けられ、ダスト等の異物を濾過するエアクリーナエレメント、及び、これを収容するエアクリーナケース等を備えている。
エアフローメータ２３は、エアクリーナ２２の出口部に設けられ、通過する空気流量を測定するセンサである。
エアフローメータ２３の出力は、ＥＣＵ１００に伝達され、燃料噴射量等の制御や、推定サージング振幅の算出に利用される。
【００２５】
エアバイパスバルブ（ＡＢＶ）２４は、インテークダクト２１内を流れる空気の一部を、コンプレッサ４１の下流側から上流側へ還流させるバイパス流路に設けられ、このバイパス流路を開閉するものである。
エアバイパスバルブ２４は、ＥＣＵ１００からの指令に応じて作動するソレノイド等の電動アクチュエータによって、開状態と閉状態とを切り換えられる。
【００２６】
インタークーラ２５は、コンプレッサ４１において圧縮された空気を、例えば走行風（車両の走行により車体に対して発生する気流）との熱交換によって冷却するものである。
スロットルバルブ２６は、エンジン１の出力調整のため、吸入空気量を調整するものである。
スロットルバルブ２６として、例えば、吸気流路内に設けられたバタフライバルブを用いることができる。
スロットルバルブ２６は、電動アクチュエータによって、ドライバ要求トルク等に基づいてＥＣＵ１００が設定する目標開度に、実際の開度が達するよう開閉駆動される。
スロットルバルブ２６の目標開度は、通常はドライバによるアクセルペダルの操作量（踏込量）の増加に応じて増加するようになっている。
スロットルバルブ２６は、インタークーラ２５の出口に隣接して配置されている。
スロットルバルブ２６の入口側（上流側）には、吸気管圧力を検出する圧力センサ２６ａが設けられている。
圧力センサ２６ａの出力は、ＥＣＵ１００に伝達される。
【００２７】
インテークマニホールド２７はスロットルバルブ２６から出た空気を、各気筒の吸気ポートに配分する分岐管である。
インテークマニホールド２７には、スロットルバルブ２６よりも下流側における吸気管圧力を検出する圧力センサ２７ａが設けられている。
圧力センサ２７ａの出力は、ＥＣＵ１００に伝達される。
タンブルジェネレーションバルブ２８は、インテークマニホールド２７の流路内に設けられ、インテークマニホールド２７から吸気ポートに至る空気流路の状態を切り替えることによって、シリンダ内で形成されるタンブル流の状態を制御するものである。
タンブルジェネレーションバルブ２８は、ＥＣＵ１００からの指令に応じて状態を切り替えられる。
【００２８】
排気装置３０は、シリンダヘッド１３の排気ポートから既燃ガス（排ガス）を排出するものである。
排気装置３０は、エキゾーストマニホールド３１、エキゾーストパイプ３２、フロント触媒３３、リア触媒３４、サイレンサ３５等を有して構成されている。
【００２９】
エキゾーストマニホールド３１は、各気筒の排気ポートから出た排ガスを集合させ、ターボチャージャ４０のタービン４２に導入する管路（排気流路）である。
【００３０】
エキゾーストパイプ３２は、ターボチャージャ４０のタービン４２から出た排ガスを外部に排出する管路（排気流路）である。
エキゾーストマニホールド３１の途中には、タービン４２側からフロント触媒３３、リア触媒３４が順次設けられている。
【００３１】
フロント触媒３３、リア触媒３４は、例えばアルミナ等の担体に白金、ロジウム、パラジウム等の貴金属を担持させ、ＨＣ、ＣＯ、ＮＯｘの低減処理を行う三元触媒である。
フロント触媒３３の入口部、出口部には、排ガスの性状に基づいて空燃比（Ａ／Ｆ）を検出するフロントＡ／Ｆセンサ３３ａ、リアＡ／Ｆセンサ３３ｂがそれぞれ設けられている。
フロントＡ／Ｆセンサ３３ａ、リアＡ／Ｆセンサ３３ｂの出力は、ＥＣＵ１００に伝達され、燃料噴射量の空燃比フィードバック制御や、フロント触媒３３の劣化診断等に用いられる。
【００３２】
サイレンサ３５は、エキゾーストパイプ３２の出口部に隣接して配置され、排ガスの音響エネルギを低減させて排気騒音を抑制するものである。
エキゾーストパイプ３２は、出口部付近において例えば２本に分岐しており、サイレンサ３５は分岐箇所よりも下流側の部分にそれぞれ設けられている。
【００３３】
ターボチャージャ４０は、排ガスのエネルギを利用して新気を圧縮する排気タービン過給機である。
ターボチャージャ４０は、コンプレッサ４１、タービン４２、ベアリングハウジング４３、ウェイストゲートバルブ（ＷＧＶ）４４等を有して構成されている。
【００３４】
コンプレッサ４１は、燃焼用空気を圧縮する遠心式圧縮機である。
タービン４２は、排ガスのエネルギを利用してコンプレッサ４１を駆動するものである。
コンプレッサ４１のコンプレッサホイルと、タービン４２のタービンホイルは、同軸上に配置され、シャフトにより直結されている。
ベアリングハウジング４３は、コンプレッサ４１とタービン４２との間に設けられている。
ベアリングハウジング４３は、コンプレッサ４１とタービン４２のハウジング間を連結するとともに、コンプレッサホイルとタービンホイルとを連結するシャフトを回転可能に支持するベアリング及び潤滑装置等を有する。
【００３５】
ウェイストゲートバルブ４４は、タービン４２の入口側から出口側に排ガスの一部をバイパスさせるウェイストゲート流路に設けられ、このウェイストゲート流路を開閉するものである。
ウェイストゲートバルブ４４は、開閉駆動用の電動アクチュエータ４４ａ、及び、開度位置検出用の図示しない開度センサを有し、ＥＣＵ１００によって開度を制御されている。
【００３６】
燃料供給装置５０は、エンジン１の各気筒に燃料を供給するものである。
燃料供給装置５０は、燃料タンク５１、フィードポンプ５２、フィードライン５３、高圧ポンプ５４、高圧燃料ライン５５、インジェクタ５６等を有して構成されている。
【００３７】
燃料タンク５１は、燃料であるガソリンが貯留される容器である。
フィードポンプ５２は、燃料タンク５１内の燃料を吐出し、高圧ポンプ５４に搬送する低圧燃料ポンプである。
フィードライン５３は、フィードポンプ５２が吐出した燃料を、高圧ポンプ５４に搬送する燃料流路（低圧燃料ライン）である。
【００３８】
高圧ポンプ５４は、シリンダヘッド１３に取り付けられ、カムシャフトを介して駆動され、燃料圧力を所定の噴射時燃圧まで昇圧させるものである。
高圧ポンプ５４は、カムシャフトの回転と連動してシリンダ内を往復し燃料を加圧するプランジャ、及び、電磁調量弁を備え、ＥＣＵ１００によって電磁調量弁のデューティ比を制御することによって、高圧燃料ライン５５内の燃料圧力を調節可能となっている。
高圧燃料ライン５５は、高圧ポンプ５４により昇圧後の燃料を、各気筒にそれぞれ設けられたインジェクタ５６に搬送する燃料流路である。
インジェクタ５６は、高圧燃料ライン５５から供給される燃料を、ＥＣＵ１００からの噴射信号に応じて、各気筒の燃焼室内に筒内噴射（直噴）する噴射弁である。
【００３９】
エンジン制御ユニット（ＥＣＵ）１００は、エンジン１及びその補機類を統括的に制御するものである。
ＥＣＵ１００は、例えばＣＰＵ等の情報処理手段、ＲＡＭやＲＯＭ等の記憶手段、入出力インターフェイス及びこれらを接続するバス等を有して構成されている。
ＥＣＵ１００には、エンジン１に設けられた各センサの出力がそれぞれ伝送されるとともに、エンジン１に設けられた各アクチュエータ、バルブ類、点火栓、インジェクタ等の制御対象に対して制御信号を出力可能となっている。
【００４０】
ＥＣＵ１００は、図示しないアクセルペダルの操作量（踏込量）等に基づいて、ドライバ要求トルクを算出し、エンジン１が実際に発生するトルク（実トルク）がドライバ要求トルクに近づくよう、スロットルバルブ２６の開度や、バルブタイミング、過給圧、点火時期、燃料噴射量及び噴射時期等を制御して、エンジン１の出力（トルク）調節を行う。
【００４１】
また、ＥＣＵ１００は、スロットルバルブ２６の急閉時等に吸気管内で発生するサージングを抑制するために、エアバイパスバルブ２４の開状態と閉状態とを切り換えるエアバイパスバルブ制御部として機能する。
また、ＥＣＵ１００は、過給領域においては過給圧を制御し、過給が行われない非過給領域（ＮＡ領域）においては、燃費とドライバビリティとの両立を図るため、電動式のウェイストゲートバルブ４４の開度を制御するウェイストゲートバルブ制御部として機能する。
【００４２】
ＥＣＵ１００は、トランスミッション制御ユニット（ＴＣＵ）２００と、例えばＣＡＮ通信システム等の車載ＬＡＮを介して通信可能となっている。
ＴＣＵ２００は、エンジン１の回転出力を変速し、ドライブシャフト等の動力伝達機構へ出力するトランスミッション（変速機）及びその補器類を統括的に制御するものである。
トランスミッションは、一例として、有効径を変更可能な一対のプーリ間に、チェーンを掛け渡して構成されたバリエータ（変速機構部）を有するチェーン式ＣＶＴとすることができる。
【００４３】
トランスミッションには、前後進切替機構、トルクコンバータ、ロックアップクラッチ、パーキングロック機構等が設けられている。
前後進切替機構は、Ｄ（前進）レンジとＲ（後進）レンジとで出力回転を逆転させるとともに、動力伝達が行われないＮ（ニュートラル）レンジの選択を可能とするものである。
トルクコンバータは、停車状態からの発進を可能とする発進デバイスとして用いられる流体継手である。
ロックアップクラッチは、伝達効率向上のため、所定のロックアップ条件を充足した場合にトルクコンバータの入力側と出力側とが相対回転しないよう拘束し、直結状態とするものである。
パーキングロック機構は、Ｐ（パーキング）レンジが選択された場合に、車両の動き出しを防止するため、トランスミッションの出力軸の回転を固定（ロック）するものである。
Ｐレンジにおいては、Ｎレンジと同様に、エンジンから駆動輪への動力伝達は行なわれない状態となっている。
ＴＣＵ２００は、トランスミッションにおいて現在選択されているレンジに関する情報を、ＥＣＵ１００に伝達する。
【００４４】
図２、図３は、第１実施形態のエンジン制御装置におけるサージング抑制制御を示すフローチャートの第１分図、第２分図である。
以下、ステップ毎に順を追って説明する。
【００４５】
＜ステップＳ０１：推定サージング振幅算出＞
ＥＣＵ１００は、エンジン１の現在の運転状態から、スロットルバルブ２６を急閉した場合に発生し得るサージング（コンプレッサ４１とスロットルバルブ２６との間の吸気装置２０内で発生する空気の周期的振動・共鳴）の推定振幅（推定サージング振幅）を算出する。
推定サージング振幅は、例えば、エアフローメータ２３により検出される吸入空気量、及び、クランク角センサの出力に基づいて算出されるエンジン回転数Ｎｅに基づいて算出することができる。
その後、ステップＳ０２に進む。
【００４６】
＜ステップＳ０２：推定サージング振幅判断＞
ＥＣＵ１００は、ステップＳ０１において算出された推定サージング振幅を、予め設定された閾値と比較する。
閾値は、例えば、車両の車室内において、乗員がサージング音を耳障りであると感じる音圧を発生させ得るサージング振幅を考慮して設定されている。
推定サージング振幅が閾値以上である場合はステップＳ０３に進み、推定サージング振幅が閾値未満である場合はステップＳ０４に進む。
【００４７】
＜ステップＳ０３：スロットル急閉判断＞
ＥＣＵ１００は、スロットルバルブ２６の目標開度が急閉されたか否かを判別する。
例えば、スロットルバルブ２６の目標開度が、所定以上の変化率（速度）で、所定以上の開度差だけ小さくなった場合に、スロットルバルブ２６が急閉されたと判別することができる。
スロットルバルブ２６の目標開度が急閉された場合はステップＳ０７に進み、その他の場合はステップＳ０４に進む。
【００４８】
＜ステップＳ０４：エアバイパスバルブ開閉要求判断＞
ＥＣＵ１００は、後述するステップＳ１４、Ｓ１９において設定されるエアバイパスバルブ開閉要求が、開要求であるか否かを判別する。
エアバイパスバルブ開閉要求が開要求でない場合はステップＳ０８に進み、その他の場合はステップＳ０５に進む。
【００４９】
＜ステップＳ０５：再加速要求判断＞
ＥＣＵ１００は、ドライバのアクセル操作などによる再加速要求があったか否かを判別する。
例えば、ドライバ要求トルク、スロットルバルブ２６の目標開度の少なくとも一方が、一旦低下した後、増加に転じた場合に、再加速要求があったと判別することができる。
再加速要求があった場合はステップＳ０８に進み、その他の場合はステップＳ０６に進む。
【００５０】
＜ステップＳ０６：エアバイパスバルブ開要求前提判定前回値保持時間判断＞
ＥＣＵ１００は、ステップＳ０７、Ｓ０８において設定されるエアバイパスバルブ開要求前提判定の前回値を保持している持続時間を、予め設定した閾値と比較する。
持続時間が閾値以上である場合はステップＳ０８に進み、その他の場合はステップＳ０９に進む。
【００５１】
＜ステップＳ０７：エアバイパスバルブ開要求前提判定  成立＞
ＥＣＵ１００は、サージング抑制のためにエアバイパスバルブ２４を開く制御を実行する前提となる条件であるエアバイパスバルブ開要求前提判定を成立させる。
その後、ステップＳ１０（第２分図（図３）参照）に進む。
【００５２】
＜ステップＳ０８：エアバイパスバルブ開要求前提判定  不成立＞
ＥＣＵ１００は、エアバイパスバルブ開要求前提判定を不成立とする。
その後、ステップＳ１０に進む。
【００５３】
＜ステップＳ０９：エアバイパスバルブ開要求前提判定  前回値保持＞
ＥＣＵ１００は、エアバイパスバルブ開要求前提判定の結果として、前回の結果（前回値）を保持する。
その後、ステップＳ１０に進む。
【００５４】
＜ステップＳ１０：エアバイパスバルブ開要求前提判定  現在値・前回値判断＞
ＥＣＵ１００は、エアバイパスバルブ開要求前提判定の現在値及び前回値を参照する。
エアバイパスバルブ開要求前提判定の現在値が成立しており、かつ、エアバイパスバルブ開要求前提判定の前回値が不成立である場合は、ステップＳ１１に進み、その他の場合はステップＳ１２に進む。
【００５５】
＜ステップＳ１１：サージング振幅ラッチ＞
ＥＣＵ１００は、ステップＳ０１において直近に算出された推定サージング振幅の値を、サージング振幅ラッチ値としてラッチ（保持）する。
その後、ステップＳ１３に進む。
【００５６】
＜ステップＳ１２：サージング振幅ラッチ前回値保持＞
ＥＣＵ１００は、従前（直近におけるステップＳ１１）よりラッチされているサージング振幅ラッチ値を保持する。
その後、ステップＳ１３に進む。
【００５７】
＜ステップＳ１３：エアバイパスバルブ開要求前提判定・目標スロットル開度判断＞
ＥＣＵ１００は、エアバイパスバルブ開要求前提判定の現在値及びスロットルバルブ２６の目標開度を参照する。
エアバイパスバルブ開要求前提判定が成立しており、かつスロットルバルブ２６の目標開度が予め設定された閾値以下である場合は、ステップＳ１４に進み、その他の場合はステップＳ１５に進む。
【００５８】
＜ステップＳ１４：エアバイパスバルブ開閉要求（サージング）＝開＞
ＥＣＵ１００は、サージング抑制を目的としたエアバイパスバルブ開閉要求を「開」とする。
これにより、エアバイパスバルブ２４は開状態とされる。
その後、ステップＳ１５に進む。
【００５９】
＜ステップＳ１５：エアバイパスバルブ開閉要求判断＞
ＥＣＵ１００はエアバイパスバルブ開閉要求の現在の状態を参照する。
エアバイパスバルブ開閉要求が「開」である場合は、ステップＳ１６に進み、その他の場合はステップＳ２１に進む。
【００６０】
＜ステップＳ１６：エアバイパスバルブ開閉要求  開経過時間判断＞
ＥＣＵ１００は、エアバイパスバルブ２４が開状態となっている持続時間を計時するカウンタ手段であるエアバイパスバルブ開時間カウンタのカウンタ値（エアバイパスバルブ開閉要求が「開」となってからの経過時間）を参照する。
経過時間が予め設定された閾値以上である場合は、ステップＳ１９に進み、その他の場合はステップＳ１７に進む。
【００６１】
＜ステップＳ１７：目標スロットル開度判断＞
ＥＣＵ１００は、スロットルバルブ２６の目標開度を、予め設定された閾値と比較する。
この閾値は、スロットルバルブ２６の急閉によってサージングが発生した場合であっても、その後のスロットルバルブ２６の開度増加により、車室内において耳障りであると感じない程度までサージングが解消されるスロットルバルブ２６の開度を考慮して設定される。
スロットルバルブ２６の目標開度が閾値以上である場合はステップＳ１９に進み、その他の場合はステップＳ１８に進む。
【００６２】
＜ステップＳ１８：トランスミッション状態・エンジン回転数判断＞
ＥＣＵ１００は、ＴＣＵ２００からの情報に基づいて、現在トランスミッションにおいて選択されているレンジを検出するとともに、クランク角センサの出力に基づいてエンジン回転数Ｎｅを算出する。
トランスミッションにおいて非走行レンジ（Ｎレンジ又はＰレンジ）が選択されており、かつ、エンジン回転数Ｎｅが予め設定された閾値以下である場合は、停車状態でのレーシング（空ぶかし）に応じてエアバイパスバルブ２４が開動作することによる騒音発生を防止するためステップＳ１９に進み、その他の場合はステップＳ２０に進む。
【００６３】
＜ステップＳ１９：エアバイパスバルブ開閉要求「閉」＞
ＥＣＵ１００は、エアバイパスバルブ開閉要求を「閉」とする。
これにより、エアバイパスバルブ２４は閉状態とされる。
その後、ステップＳ２０に進む。
【００６４】
＜ステップＳ２０：エアバイパスバルブ開時間カウンタ更新＞
ＥＣＵ１００は、エアバイパスバルブ２４が開状態である場合には、エアバイパスバルブ開時間カウンタのカウンタ値を更新する。
その後、一連の処理を終了（リターン）する。
【００６５】
＜ステップＳ２１：エアバイパスバルブ開時間カウンタクリア＞
ＥＣＵ１００は、エアバイパスバルブ２４が閉状態である場合には、エアバイパスバルブ開時間カウンタのカウンタ値をクリア（リセット）する。
その後、一連の処理を終了（リターン）する。
【００６６】
第１実施形態においては、所定条件下における加速時に、加速開始後に加速度が増加する特性（いわゆるターボバン的特性）を得るため、以下説明する過給圧増加制御を実行する。
過給圧増加制御は、以下説明する第１の条件を充足した際にエアバイパスバルブ２４を開状態、ウェイストゲートバルブ４４を閉状態としてターボチャージャ４０の予回転を行い、その後、以下説明する第２の条件を充足した際に過給圧増加制御の実行条件が成立したと判断し、エアバイパスバルブ２４を閉状態、ウェイストゲートバルブ４４を閉状態として過給圧を増加させるものである。
図４は、第１実施形態のエンジン制御装置における過給圧増加制御を示すフローチャートである。
以下、ステップ毎に順を追って説明する。
【００６７】
＜ステップＳ１０１：エアバイパスバルブ開要求前提判定判断＞
ＥＣＵ１００は、エアバイパスバルブ開要求前提判定の状態を参照する。
エアバイパスバルブ開要求前提判定が成立している場合は、図２，３に示すサージング対策の制御を優先するためステップＳ１０９に進む。
エアバイパスバルブ開要求前提判定が不成立である場合は、ステップＳ１０２に進む。
【００６８】
＜ステップＳ１０２：過給圧判断＞
ＥＣＵ１００は、圧力センサ２６ａによって検出される吸気管圧力に基づいて、ターボチャージャ４０による現在の過給圧を検出する。
現在の過給圧が予め設定された閾値以下であり、過給圧を上昇させる余地が存在する場合（最大過給圧に達していない場合）はステップＳ１０３に進み、その他の場合はステップＳ１０９に進む。
【００６９】
＜ステップＳ１０３：目標スロットル開度判断１＞
ＥＣＵ１００は、現在のスロットルバルブ２６の目標開度を所定の閾値と比較し、過給圧増加制御の実行が必要な高負荷状態であるか否かを判別する。
この閾値は、例えば、全開（１００％）に設定することができる。
また、閾値は、所定の中間開度（一例として７０乃至９０％程度）に設定してもよい。
また、閾値となるスロットル開度を、ドライバ等のユーザが任意に設定可能な構成としてもよい。
スロットルバルブ２６の目標開度が閾値以上（一例として全開）である場合は、タービン４２の予回転開始要求を示す第１の条件が充足したものとしてステップＳ１０４に進み、その他の場合はステップＳ１０９に進む。
【００７０】
＜ステップＳ１０４：エアバイパスバルブ開・ウェイストゲートバルブ全閉＞
ＥＣＵ１００は、エアバイパスバルブ２４を開状態にするとともに、ウェイストゲートバルブ４４を全閉状態とする。
これにより、ターボチャージャ４０の予回転が開始される。
その後、ステップＳ１０５に進む。
【００７１】
＜ステップＳ１０５：エンジン回転数判断＞
ＥＣＵ１００は、クランク角センサの出力に基づいて算出されるクランクシャフト１１の回転速度（エンジン回転数Ｎｅ（ｒｐｍ））を、予め設定された閾値と比較する。
閾値は、エンジン出力特性のチューニング上、過給圧の増加により加速度が向上することが好ましい任意のエンジン回転数に設定することができる。
例えば、閾値は、３０００乃至５０００ｒｐｍの間の任意のエンジン回転数に設定することができる。
また、閾値となるエンジン回転数を、ドライバ等のユーザが任意に設定可能としてもよい。
エンジン回転数Ｎｅが閾値以上となった場合は、過給圧増加要求を示す第２の条件が充足したものとして、ステップＳ１０６に進み、その他の場合はステップＳ１０３に戻り以降の処理を繰り返す。
【００７２】
＜ステップＳ１０６：目標スロットル開度判断２＞
ＥＣＵ１００は、現在のスロットルバルブ２６の目標開度を所定の閾値と比較する。
この閾値は、例えば、ステップＳ１０３における閾値と同等に設定することができる。
スロットルバルブ２６の目標開度が閾値以上（全開）である場合は、過給圧を増加させるためステップＳ１０７に進み、その他の場合はドライバがアクセルを戻すなどして加速要求が抑制されたものとしてステップＳ１０９に進む。
【００７３】
＜ステップＳ１０７：エアバイパスバルブ閉・ウェイストゲートバルブ全閉＞
ＥＣＵ１００は、エアバイパスバルブ２４及びウェイストゲートバルブ４４をともに閉状態（全閉）とする。
これにより、エンジン１の吸入空気量が増加して、タービン４２に導入される排ガス流量が増加し、ターボチャージャ４０の回転数が上昇して過給圧の増加が開始される。
その後、ステップＳ１０８に進む。
【００７４】
＜ステップＳ１０８：過給圧判断＞
ＥＣＵ１００は、ターボチャージャ４０による現在の過給圧（スロットルバルブ２６上流側の吸気管圧力）を、予め設定された目標過給圧（加速時における上限過給圧）と比較する。
現在の過給圧（実過給圧）が目標過給圧と一致した場合は、過給圧の過度な上昇を防ぐためステップＳ１０９に進み、その他の場合はさらに過給圧を上昇させるため、ステップＳ１０６に戻り以降の処理を繰り返す。
【００７５】
＜ステップＳ１０９：通常時制御に復帰＞
ＥＣＵ１００は、過給圧増加制御を行わない場合に実行される通常時の制御に復帰する。
ドライバ要求トルクがＮＡ領域（過給を行わなくてもドライバ要求トルク相当の実トルクを発生可能な領域）である場合には、エアバイパスバルブ２４を閉状態とし、ウェイストゲートバルブ４４を全開状態として、主にスロットルバルブ２６の開度等によりエンジン１の出力調整を行う。
一方、ドライバ要求トルクが過給領域（過給をしなければドライバ要求トルク相当の実トルクを発生できない領域）である場合には、エアバイパスバルブ２４を閉状態とし、ウェイストゲートバルブ４４は、実過給圧がドライバ要求トルクに対応した目標過給圧と一致するよう、過給圧フィードバック制御が行われる。
また、上述した図２，３に示すサージング抑制制御により、エアバイパスバルブ開閉要求が「開」となっている場合には、サージング抑制を優先するため、エアバイパスバルブ２４を開状態とする。
その後、一連の処理を終了（リターン）する。
【００７６】
図５は、第１実施形態のエンジン制御装置により制御されるエンジンの過給圧、コンプレッサ回転数などの推移の一例を示す図である。
図５において、縦軸は、エアバイパスバルブ２４の開閉状態、スロットルバルブ２６の開度（％）、過給圧（ｋＰａ）、コンプレッサ４１の回転数（ｒｐｍ）、ウェイストゲートバルブ４４の開度を示している。
過給圧増加制御の開始に伴い、まずエアバイパスバルブ２４が開状態、スロットルバルブ２６が全開状態、ウェイストゲートバルブ４４が全閉状態とされる。これによって、排気ポートから排出される排ガスの全量がタービン４２に導入され、ターボチャージャ４０の駆動に寄与することになる。
これにより、ターボチャージャ４０の予回転が開始され、コンプレッサ４１の回転数は、約２００００ｒｐｍから約７００００ｒｐｍまで増加する。
なお、通常はスロットルバルブ２６が全開かつウェイストゲートバルブ４４が全閉の状態を持続させると、過給圧が過大となり、ハードウェアへのダメージが懸念される。
しかし、本実施形態においては、エアバイパスバルブ２４を開状態とすることによって、コンプレッサ４１の下流側から上流側へ空気を還流させ、過給圧が過大となることを防止しつつターボチャージャ４０の予回転を行っている。
このとき、過給圧は、例えば約１２０ｋＰａ程度で収束している。
【００７７】
その後、エアバイパスバルブ２４を閉状態とすることによって、それまでコンプレッサ４１の前後で還流（循環）していた空気が、エンジン１に新気として吸気され、燃焼により出力発生に寄与することになる。これにより、タービン４２に導入される排ガスの流量が増加する。
その結果、コンプレッサ４１の回転数は上昇を開始し、最終的には例えば約１０万ｒｐｍに到達する。
コンプレッサ４１の回転数増加に応じて過給圧も例えば約１７０ｋＰａまで上昇する。
これにより、エンジン１の吸入空気量はさらに増大し、出力トルクが増大する結果、車両は加速度を増加させながら加速する状態となる。
【００７８】
以上説明したように、第１実施形態によれば、以下の効果を得ることができる。
（１）スロットルバルブ２６の目標開度が全開となったときに、スロットルバルブ２６を全開状態に維持しつつウェイストゲートバルブ４４を閉状態とすることにより、排ガスの全量をタービン４２に供給してコンプレッサ４１の駆動に寄与させ、ターボチャージャ４０の予回転を開始してコンプレッサ４１の回転を高めることができる。
なお、通常はスロットルバルブ２６を全開とした状態で、ウェイストゲートバルブ４４を閉状態に維持した場合には、過給圧が過度に高くなることによりエンジン１の本体部（主機）１０やターボチャージャ４０等のハードウェアにダメージを与えることが懸念されるが、本発明においてはエアバイパスバルブ２４を開状態とし、コンプレッサ４１の下流側から上流側へ空気を還流させることによって、過給圧の過度な上昇を防止することができる。
その後、エンジン回転数Ｎｅが所定の閾値まで上昇したときに、エアバイパスバルブ２４を閉状態とすることにより、エンジン１の吸入空気量が増大して排ガスの流量が急増し、コンプレッサ４１の回転数及び過給圧がともに上昇する。これにより、エンジン１の出力トルクが向上して車両の加速度が増加し、伸びのあるスポーティな加速感（加速の伸び感・いわゆるターボバン感）を乗員に与え、車両の商品価値を向上することができる。
（２）ドライバがアクセルペダルを全開まで踏み込む簡単な動作により、スロットルバルブ２６の目標開度及び実際の開度がともに全開とされ、ターボチャージャ４０の予回転が開始されるため、簡単な操作により上述した効果を得ることができる。
（３）過給圧増加制御におけるターボチャージャ４０の予回転が開始された後、エンジン回転数Ｎｅが所定の閾値以上となった際にエアバイパスバルブ２４を閉状態として過給圧を増加させることにより、エンジン回転数Ｎｅの増加とともに過給圧、トルクが増加する特性として、スポーティな印象を与える出力特性及び加速感（加速の伸び感）を得ることができる。
（４）サージング抑制を目的としたエアバイパスバルブ開要求前提判定が成立している場合には、サージング抑制を優先して過給圧増加制御を行なわないことにより、スロットル急閉時等に発生しやすいサージングを抑制し、異音の発生やコンプレッサがダメージを受けることを防止することができる。
【００７９】
＜第２実施形態＞
次に、本発明を適用したエンジン制御装置の第２実施形態について説明する。
以下説明する各実施形態のエンジン制御装置により制御されるエンジンは、特記ない限り、上述した第１実施形態と共通のハードウェア構成を有し、以下、第１実施形態と同じ符号を付して説明する。
第２実施形態のエンジン制御装置は、過給圧増加制御において、スロットルバルブ２６の目標開度が閾値以上（第１の条件が充足）となった後、エンジン回転数Ｎｅが閾値以上（第２の条件が充足）となったかの判定を、エアバイパスバルブ２４を開状態としてからの経過時間に応じて行なうことを特徴とする。
図６は、第２実施形態のエンジン制御装置における過給圧増加制御を示すフローチャートである。
以下、ステップ毎に順を追って説明する。
【００８０】
＜ステップＳ２０１：エアバイパスバルブ開要求前提判定判断＞
ＥＣＵ１００は、エアバイパスバルブ開要求前提判定の状態を参照する。
エアバイパスバルブ開要求前提判定が成立している場合はステップＳ２０９に進み、不成立である場合は、ステップＳ２０２に進む。
【００８１】
＜ステップＳ２０２：過給圧判断＞
ＥＣＵ１００は、現在の過給圧を検出し、過給圧が予め設定された閾値以下である場合はステップＳ２０３に進み、その他の場合はステップＳ２０９に進む。
【００８２】
＜ステップＳ２０３：目標スロットル開度判断１＞
ＥＣＵ１００は、現在のスロットルバルブ２６の目標開度を所定の閾値と比較し、目標開度が閾値以上（一例として全開）である場合は、タービン４２の予回転開始要求を示す第１の条件を充足したものとして、ステップＳ２０４に進み、その他の場合はステップＳ２０９に進む。
【００８３】
＜ステップＳ２０４：エアバイパスバルブ開・ウェイストゲートバルブ全閉＞
ＥＣＵ１００は、エアバイパスバルブ２４を開状態とし、かつウェイストゲートバルブ４４を全閉状態とする。
その後、ステップＳ２０５に進む。
【００８４】
＜ステップＳ２０５：エアバイパスバルブ開経過時間判断＞
ＥＣＵ１００は、エアバイパスバルブ２４を開状態としてからの経過時間を予め設定された閾値と比較する。
この閾値は、ドライバ等のユーザが任意に設定可能な構成としてもよい。
エアバイパスバルブ開状態の経過時間が閾値以上となった場合は過給圧増加要求を示す第２の条件が充足したものとしてステップＳ２０６に進み、その他の場合はステップＳ２０３に戻り以降の処理を繰り返す。
【００８５】
＜ステップＳ２０６：目標スロットル開度判断２＞
ＥＣＵ１００は、現在のスロットルバルブ２６の目標開度を所定の閾値と比較する。
スロットルバルブ２６の目標開度が閾値以上（一例として全開）である場合は、ステップＳ２０７に進み、その他の場合はステップＳ２０９に進む。
【００８６】
＜ステップＳ２０７：エアバイパスバルブ閉・ウェイストゲートバルブ全閉＞
ＥＣＵ１００は、エアバイパスバルブ２４及びウェイストゲートバルブ４４をともに閉状態（全閉）とする。
その後、ステップＳ２０８に進む。
【００８７】
＜ステップＳ２０８：過給圧判断＞
ＥＣＵ１００は、現在の過給圧を、予め設定された目標過給圧と比較する。
現在の過給圧（実過給圧）が目標過給圧に達した場合はステップＳ２０９に進み、その他の場合はステップＳ２０６に戻り以降の処理を繰り返す。
【００８８】
＜ステップＳ２０９：通常時制御に復帰＞
ＥＣＵ１００は、通常時の制御に復帰する。
その後、一連の処理を終了（リターン）する。
【００８９】
以上説明した第２実施形態においても、上述した第１実施形態の効果と同様の効果を得ることができる。
また、過給圧及び出力トルクの立ち上がり特性に、適度な時間応答遅れを与えることにより、スポーティな印象を与える出力特性及び加速感（加速の伸び感）を得ることができる。
【００９０】
＜第３実施形態＞
次に、本発明を適用したエンジン制御装置の第３実施形態について説明する。
第３実施形態においては、過給圧増加制御におけるターボチャージャ４０の予回転開始要求（第１の条件充足）、及び、過給圧増加要求（第２の条件充足）を、それぞれドライバからの操作に応じて行うことを特徴とする。
第３実施形態においては、車室内におけるドライバにより操作が可能な箇所に、図示しないターボチャージャ予回転開始スイッチ、及び、過給圧増加開始スイッチが設けられている。
これらのスイッチは、例えば、ドライバが操舵操作を行なうステアリングホイールや、変速レンジ選択操作を行なうセレクトレバー、インストルメントパネル等に設けることができる。
また、これらのスイッチは、それぞれ別個に設けてもよいが、例えば同一のスイッチを用いるとともに、一回目の操作ではターボチャージャ予回転開始スイッチとして機能し、二回目の操作では過給圧増加開始スイッチとして機能するよう構成してもよい。
図７は、第３実施形態のエンジン制御装置における過給圧増加制御を示すフローチャートである。
以下、ステップ毎に順を追って説明する。
【００９１】
＜ステップＳ３０１：エアバイパスバルブ開要求前提判定判断＞
ＥＣＵ１００は、エアバイパスバルブ開要求前提判定の状態を参照する。
エアバイパスバルブ開要求前提判定が成立している場合はステップＳ３１０に進み、不成立である場合は、ステップＳ３０２に進む。
【００９２】
＜ステップＳ３０２：過給圧判断＞
ＥＣＵ１００は、現在の過給圧を検出し、過給圧が予め設定された閾値以下である場合はステップＳ３０３に進み、その他の場合はステップＳ３１０に進む。
【００９３】
＜ステップＳ３０３：ターボチャージャ予回転開始操作判断＞
ＥＣＵ１００は、ドライバによるターボチャージャ予回転開始スイッチへの入力操作（第１の条件の充足操作）があったか否かを判別する。
ターボチャージャ予回転開始スイッチへの入力があった場合には、ドライバが過給圧増加制御におけるターボチャージャ４０の予回転の開始を所望しているものとして、ステップＳ３０５に進み、その他の場合はステップＳ３１０に進む。
【００９４】
＜ステップＳ３０４：目標スロットル開度判断１＞
ＥＣＵ１００は、現在のスロットルバルブ２６の目標開度を所定の閾値と比較し、目標開度が閾値以上（一例として全開）である場合は、タービン４２の予回転開始要求を示す第１の条件が充足したものとして、ステップＳ３０５に進み、その他の場合はステップＳ３１０に進む。
【００９５】
＜ステップＳ３０５：エアバイパスバルブ開・ウェイストゲートバルブ全閉＞
ＥＣＵ１００は、エアバイパスバルブ２４を開状態とし、かつウェイストゲートバルブ４４を全閉状態とする。
その後、ステップＳ３０６に進む。
【００９６】
＜ステップＳ３０６：過給圧増加開始操作判断＞
ＥＣＵ１００は、ドライバによる過給圧増加開始スイッチへの入力操作（第２の条件の充足操作）があったか否かを判別する。
過給圧増加開始スイッチへの入力があった場合には、ドライバが過給圧増加制御における過給圧増加の開始を要求しているものとして（第２の条件が充足したものとして）、ステップＳ３０７に進み、その他の場合はステップＳ３０４に戻り以降の処理を繰り返す。
【００９７】
＜ステップＳ３０７：目標スロットル開度判断２＞
ＥＣＵ１００は、現在のスロットルバルブ２６の目標開度を所定の閾値と比較する。
スロットルバルブ２６の目標開度が閾値以上（一例として全開）である場合は、ステップＳ３０８に進み、その他の場合はステップＳ３１０に進む。
【００９８】
＜ステップＳ３０８：エアバイパスバルブ閉・ウェイストゲートバルブ全閉＞
ＥＣＵ１００は、エアバイパスバルブ２４及びウェイストゲートバルブ４４をともに閉状態（全閉）とする。
その後、ステップＳ３０９に進む。
【００９９】
＜ステップＳ３０９：過給圧判断＞
ＥＣＵ１００は、現在の過給圧を、予め設定された目標過給圧と比較する。
現在の過給圧（実過給圧）が目標過給圧と一致した場合はステップＳ３１０に進み、その他の場合はステップＳ３０７に戻り以降の処理を繰り返す。
【０１００】
＜ステップＳ３１０：通常時制御に復帰＞
ＥＣＵ１００は、通常時の制御に復帰する。
その後、一連の処理を終了（リターン）する。
【０１０１】
以上説明した第３実施形態によれば、上述した第１実施形態の効果と同様の効果に加えて、さらに以下の効果を得ることができる。
（１）ドライバの操作に応じて、過給圧増加制御におけるターボチャージャ４０の予回転を開始することにより、ドライバが意図した場合に直ちに予回転を開始することができ、利便性やコントロール性を向上することができる。
例えば、ウェット路面、未舗装路面、氷雪路等の低μ路での加速時や、スポーツ走行などの急加速時に、駆動輪の空転が生じやすい状態（発進直後等）であるときに、過給圧、出力トルクを過度に高めることなくターボチャージャ４０に予回転を与え、ドライバビリティ及び車両の安定性を改善することができる。
（２）ドライバの操作に応じて過給圧増加制御におけるエアバイパスバルブ２４の開状態から閉状態への移行（過給圧の増加）を行なうことにより、ドライバの意図に忠実に過給圧、出力トルク、及び、加速度を増加させ、コントロール性及びドライバビリティを向上することができる。
【０１０２】
（変形例）
本発明は、以上説明した各実施形態に限定されることなく、種々の変形や変更が可能であって、それらも本発明の技術的範囲内である。
（１）エンジン及びエンジン制御装置の構成は、上述した各実施形態に限定されず、適宜変更することが可能である。
例えば、エンジンの気筒数、シリンダレイアウト、燃料噴射方式、動弁駆動方式、吸排気系や補器類の構成等は適宜変更することができる。
（２）各実施形態においては、スロットルとしてバタフライバルブであるスロットルバルブを用いているが、例えばスライドバルブ等の他種のスロットルバルブを用いてもよい。
また、吸気バルブの開弁期間や、バルブリフトを可変式として吸入空気量の調節を行ういわゆるバルブスロットルを用いてもよい。
（３）過給圧増加制御の実行条件は、上述した各実施形態に限定されず、適宜変更することが可能である。
（４）第３実施形態においては、ターボチャージャの予回転の開始、及び、過給圧の増加開始を、それぞれドライバからの操作入力に応じて行う（本発明にいう第１、第２の条件がいずれもドライバからの操作に応じて充足される）ようにしているが、これらのいずれか一方のみをドライバからの操作入力に応じて行い、他方は別の条件に応じて行うようにしてもよい。
【符号の説明】
【０１０３】
１    エンジン                      １０    本体部
１１    クランクシャフト              １２    シリンダブロック
１３    シリンダヘッド                １４    吸気バルブ装置
１５    排気バルブ装置                １６    点火栓
２０    吸気装置                      ２１    インテークダクト
２２    エアクリーナ                  ２３    エアフローメータ
２４    エアバイパスバルブ            ２５    インタークーラ
２６    スロットルバルブ              ２６ａ  圧力センサ
２７    インテークマニホールド        ２７ａ  圧力センサ
２８    タンブルジェネレーションバルブ
３０    排気装置                      ３１    エキゾーストマニホールド
３２    エキゾーストパイプ            ３３    フロント触媒
３３ａ  フロントＡ／Ｆセンサ          ３３ｂ  リアＡ／Ｆセンサ
３４    リア触媒                      ３５    サイレンサ
４０    ターボチャージャ              ４１    コンプレッサ
４２    タービン
４３    ベアリングハウジング          ４４    ウェイストゲートバルブ
５０    燃料供給装置                  ５１    燃料タンク
５２    フィードポンプ                ５３    フィードライン
５４    高圧ポンプ                    ５５    高圧燃料ライン
５６    インジェクタ                １００    エンジン制御ユニット（ＥＣＵ）
２００    トランスミッション制御ユニット（ＴＣＵ）
【図１】
2020029833.tif 000003
【図２】
2020029833.tif 000004
【図３】
2020029833.tif 000005
【図４】
2020029833.tif 000006
【図５】
2020029833.tif 000007
【図６】
2020029833.tif 000008
【図７】
2020029833.tif 000009